【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
基地局によって実行されるワイヤレス通信の方法であって、
複数のアンカーチャネルを決定することと、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、狭帯域ブロードキャストチャネルまたは狭帯域情報ブロックのうちの少なくとも１つを含み、
少なくとも１つのユーザ機器（ＵＥ）に前記複数のアンカーチャネルを同時に送信することと、前記複数のアンカーチャネルは、アンライセンス周波数スペクトルのための最小帯域幅要件を満たす組み合わされた帯域幅を有し、
前記複数のアンカーチャネルに少なくとも部分的に基づいて、前記少なくとも１つのＵＥと通信することと
を備える方法。
【請求項２】
前記第１のアンカーチャネルは、前記狭帯域ブロードキャストチャネルまたは前記狭帯域情報ブロックのうちの前記少なくとも１つを含む、前記少なくとも２つのアンカーチャネルのうちの１つである、請求項１に記載の方法。
【請求項３】
前記複数のアンカーチャネルは、第１の送信において同時に送信され、前記方法は、
前記第１の送信の後の第２の送信において、前記複数のアンカーチャネルを同時に送信すること
をさらに備える、請求項１に記載の方法。
【請求項４】
前記第１の送信は、第１のホッピングフレーム中にあり、前記第２の送信は、第２のホッピングフレーム中にある、請求項３に記載の方法。
【請求項５】
前記第１の送信に含まれる前記狭帯域情報ブロックは、情報ブロックサイクルの第１の情報ブロックおよび第２の情報ブロックを含み、前記第２の送信に含まれる狭帯域情報ブロックが、前記情報ブロックサイクルの第３の情報ブロックおよび第４の情報ブロックである、請求項３に記載の方法。
【請求項６】
前記情報ブロックは、自己復号可能マスタ情報ブロックを含む、請求項１に記載の方法。
【請求項７】
前記少なくとも１つの同期信号、前記ブロードキャストチャネル、または前記情報ブロックのうちの少なくとも１つは、発見基準信号である、請求項１に記載の方法。
【請求項８】
前記複数のアンカーチャネルは、発見基準信号チャネルを備える、請求項１に記載の方法。
【請求項９】
前記狭帯域情報ブロックは、前記少なくとも１つのＵＥのための周波数ホッピングホワイトリストを識別する、請求項１に記載の方法。
【請求項１０】
前記少なくとも１つの狭帯域同期信号は、前記第１のアンカーチャネルにおいて送信され、前記狭帯域情報ブロックは、第１の情報ブロックであり、前記複数のアンカーチャネルのうちの第２のアンカーチャネルにおいて送信され、マスタ情報ブロックを備える第２の情報ブロックが、前記複数のアンカーチャネルのうちの第３のアンカーチャネルにおいて前記狭帯域ブロードキャストチャネルとともに送信される、請求項１に記載の方法。
【請求項１１】
前記少なくとも１つの狭帯域同期信号は、前記複数のアンカーチャネルの構成を示す、請求項１に記載の方法。
【請求項１２】
前記少なくとも１つの狭帯域同期信号は、前記少なくとも１つの狭帯域同期信号のサイクリックシフトに少なくとも部分的に基づいて、前記複数のアンカーチャネルの前記構成を示す、請求項１１に記載の方法。
【請求項１３】
ワイヤレス通信のための装置であって、
請求項１〜１２のうちのいずれかに記載の方法を実施するための手段を備える、装置。
【請求項１４】
ワイヤレス通信のための１つまたは複数の命令を記憶した非一時的なコンピュータ可読媒体であって、
前記１つまたは複数の命令は、基地局の１つまたは複数のプロセッサによって実行されると、前記１つまたは複数のプロセッサに、請求項１〜１２のうちのいずれかに記載の方法を実施させる、非一時的なコンピュータ可読媒体。
【請求項１５】
ユーザ機器（ＵＥ）によって実行されるワイヤレス通信の方法であって、
第１のアンカーチャネル上で少なくとも１つの狭帯域同期信号を受信することと、ここにおいて、前記第１のアンカーチャネルは、基地局によって同時に送信された複数のアンカーチャネルのうちの１つであり、前記複数のアンカーチャネルは、アンライセンス周波数スペクトルのための最小帯域幅要件を満たす組み合わされた帯域幅を有し、
前記第１のアンカーチャネルおよび前記複数のアンカーチャネルのうちの少なくとも１つの他のアンカーチャネル上で、狭帯域ブロードキャストチャネルまたは狭帯域情報ブロックのうちの少なくとも１つを受信することと、
前記同期信号に少なくとも部分的に基づいて、同期動作を実行することと
を備える方法。
【請求項１６】
前記狭帯域ブロードキャストチャネルまたは前記狭帯域情報ブロックのうちの前記少なくとも１つを受信するために、前記少なくとも１つの他のアンカーチャネルにチューニングすること
をさらに備える、請求項１６に記載の方法。
【請求項１７】
ワイヤレス通信のための装置であって、
請求項１５または１６に記載の方法を実施するための手段を備える、装置。
【請求項１８】
１つまたは複数の命令を記憶した非一時的なコンピュータ可読媒体であって、
前記１つまたは複数の命令は、基地局の１つまたは複数のプロセッサによって実行されると、前記１つまたは複数のプロセッサに、請求項１５または１６に記載の方法を実施させる、非一時的なコンピュータ可読媒体。
【手続補正２】
【補正対象書類名】明細書
【補正対象項目名】０１３２
【補正方法】変更
【補正の内容】
【０１３２】
[00143]先の説明は、いかなる当業者であっても、本明細書で説明された様々な態様を実現することを可能にするために提供された。これらの態様への様々な修正は、当業者には容易に明らかとなり、本明細書で定義された一般原理は、他の態様に適用され得る。したがって、特許請求の範囲は、本明細書で示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。別段に明記されていない限り、「いくつかの（some）」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」などの組合せは、Ａのみ、Ｂのみ、Ｃのみ、ＡとＢ、ＡとＣ、ＢとＣ、またはＡとＢとＣであり得、ここで、このような任意の組合せが、Ａ、Ｂ、またはＣの１つまたは複数のメンバーを含み得る。当業者に知られているか、または後に知られることとなる、本開示全体を通して説明された様々な態様の要素に対する全ての構造的および機能的な同等物は、参照によって本明細書に明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。いずれの請求項の要素も、その要素が「〜のための手段（means for)」という表現を使用して明記されていない限り、ミーンズプラスファンクションとして解釈されるべきではない。
以下に本願の出願当初の特許請求の範囲に記載された発明を付記する。
［Ｃ１］
基地局によって実行されるワイヤレス通信の方法であって、
複数のアンカーチャネルを決定することと、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、ブロードキャストチャネルまたは情報ブロックのうちの少なくとも１つを含み、
少なくとも１つのユーザ機器（ＵＥ）に前記複数のアンカーチャネルを同時に送信することと、
前記複数のアンカーチャネルに少なくとも部分的に基づいて、前記少なくとも１つのＵＥと通信することと
を備える方法。
［Ｃ２］
前記第１のアンカーチャネルは、前記ブロードキャストチャネルまたは前記情報ブロックのうちの前記少なくとも１つを含む、前記少なくとも２つのアンカーチャネルのうちの１つである、Ｃ１に記載の方法。
［Ｃ３］
前記複数のアンカーチャネルは、第１の送信において同時に送信され、前記方法は、
前記第１の送信の後の第２の送信において、前記複数のアンカーチャネルを同時に送信すること
をさらに備える、Ｃ１に記載の方法。
［Ｃ４］
前記第１の送信は、第１のホッピングフレーム中にあり、前記第２の送信は、第２のホッピングフレーム中にある、Ｃ３に記載の方法。
［Ｃ５］
前記第１の送信に含まれる前記情報ブロックは、情報ブロックサイクルの第１の情報ブロックおよび第２の情報ブロックを含み、前記第２の送信に含まれる情報ブロックが、前記情報ブロックサイクルの第３の情報ブロックおよび第４の情報ブロックである、Ｃ３に記載の方法。
［Ｃ６］
前記複数のアンカーチャネルは、周期的にまたは繰り返し送信される、Ｃ１に記載の方法。
［Ｃ７］
前記情報ブロックは、自己復号可能マスタ情報ブロックを含む、Ｃ１に記載の方法。
［Ｃ８］
前記少なくとも１つの同期信号、前記ブロードキャストチャネル、または前記情報ブロックのうちの少なくとも１つは、発見基準信号である、Ｃ１に記載の方法。
［Ｃ９］
前記複数のアンカーチャネルは、発見基準信号チャネルを備える、Ｃ１に記載の方法。
［Ｃ１０］
前記情報ブロックは、前記少なくとも１つのＵＥのための周波数ホッピングホワイトリストを識別する、Ｃ１に記載の方法。
［Ｃ１１］
前記少なくとも１つの同期信号は、前記第１のアンカーチャネルにおいて送信され、前記情報ブロックは、第１の情報ブロックであり、前記複数のアンカーチャネルのうちの第２のアンカーチャネルにおいて送信され、マスタ情報ブロックを備える第２の情報ブロックが、前記複数のアンカーチャネルのうちの第３のアンカーチャネルにおいて前記ブロードキャストチャネルとともに送信される、Ｃ１に記載の方法。
［Ｃ１２］
前記少なくとも１つの同期信号は、前記複数のアンカーチャネルの構成を示す、Ｃ１に記載の方法。
［Ｃ１３］
前記少なくとも１つの同期信号は、前記少なくとも１つの同期信号のサイクリックシフトに少なくとも部分的に基づいて、前記複数のアンカーチャネルの前記構成を示す、Ｃ１２に記載の方法。
［Ｃ１４］
ワイヤレス通信のための基地局であって、
メモリと、
前記メモリに動作可能に結合された少なくとも１つのプロセッサと
を備え、前記メモリおよび前記少なくとも１つのプロセッサは、
複数のアンカーチャネルを決定することと、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、ブロードキャストチャネルまたは情報ブロックのうちの少なくとも１つを含み、
少なくとも１つのユーザ機器（ＵＥ）に前記複数のアンカーチャネルを同時に送信することと、
前記複数のアンカーチャネルに少なくとも部分的に基づいて、前記少なくとも１つのＵＥと通信することと
を行うように構成される、基地局。
［Ｃ１５］
前記第１のアンカーチャネルは、前記ブロードキャストチャネルまたは前記情報ブロックのうちの前記少なくとも１つを含む、前記少なくとも２つのアンカーチャネルのうちの１つである、Ｃ１４に記載の基地局。
［Ｃ１６］
前記複数のアンカーチャネルは、第１の送信において同時に送信され、前記１つまたは複数のプロセッサはさらに、
前記第１の送信の後の第２の送信において、前記複数のアンカーチャネルを同時に送信すること
を行うためのものである、Ｃ１４に記載の基地局。
［Ｃ１７］
前記第１の送信は、第１のホッピングフレーム中にあり、前記第２の送信は、第２のホッピングフレーム中にある、Ｃ１６に記載の基地局。
［Ｃ１８］
前記第１の送信に含まれる前記情報ブロックは、情報ブロックサイクルの第１の情報ブロックおよび第２の情報ブロックを含み、前記第２の送信に含まれる情報ブロックが、情報ブロックサイクルの第３の情報ブロックおよび第４の情報ブロックである、Ｃ１６に記載の基地局。
［Ｃ１９］
前記複数のアンカーチャネルは、周期的にまたは繰り返し送信される、Ｃ１４に記載の基地局。
［Ｃ２０］
前記情報ブロックは、自己復号可能マスタ情報ブロックを含む、Ｃ１４に記載の基地局。
［Ｃ２１］
前記少なくとも１つの同期信号、前記ブロードキャストチャネル、または前記情報ブロックのうちの少なくとも１つは、発見基準信号である、Ｃ１４に記載の基地局。
［Ｃ２２］
前記複数のアンカーチャネルは、発見基準信号チャネルを備える、Ｃ１４に記載の基地局。
［Ｃ２３］
前記情報ブロックは、前記少なくとも１つのＵＥのための周波数ホッピングホワイトリストを識別する、Ｃ１４に記載の基地局。
［Ｃ２４］
前記少なくとも１つの同期信号は、前記複数のアンカーチャネルの構成を示す、Ｃ１４に記載の基地局。
［Ｃ２５］
前記少なくとも１つの同期信号は、前記少なくとも１つの同期信号のサイクリックシフトに少なくとも部分的に基づいて、前記複数のアンカーチャネルの前記構成を示す、Ｃ２４に記載の基地局。
［Ｃ２６］
前記少なくとも１つの同期信号は、前記第１のアンカーチャネルにおいて送信され、前記情報ブロックは、第１の情報ブロックであり、前記複数のアンカーチャネルのうちの第２のアンカーチャネルにおいて送信され、マスタ情報ブロックを備える第２の情報ブロックが、前記複数のアンカーチャネルのうちの第３のアンカーチャネルにおいて前記ブロードキャストチャネルとともに送信される、Ｃ１４に記載の基地局。
［Ｃ２７］
ワイヤレス通信のための１つまたは複数の命令を記憶した非一時的なコンピュータ可読媒体であって、
前記１つまたは複数の命令は、基地局の１つまたは複数のプロセッサによって実行されると、前記１つまたは複数のプロセッサに、
複数のアンカーチャネルを決定することと、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、少なくともブロードキャストチャネルまたは情報ブロックを含み、
少なくとも１つのユーザ機器（ＵＥ）に前記複数のアンカーチャネルを同時に送信することと、
前記複数のアンカーチャネルに少なくとも部分的に基づいて、前記少なくとも１つのＵＥと通信することと
を行わせる、非一時的なコンピュータ可読媒体。
［Ｃ２８］
前記少なくとも１つの同期信号は、前記複数のアンカーチャネルの構成を示す、Ｃ２７に記載の非一時的なコンピュータ可読媒体。
［Ｃ２９］
前記少なくとも１つの同期信号は、前記少なくとも１つの同期信号のサイクリックシフトに少なくとも部分的に基づいて、前記複数のアンカーチャネルの前記構成を示す、Ｃ２８に記載の非一時的なコンピュータ可読媒体。
［Ｃ３０］
ワイヤレス通信のための装置であって、
複数のアンカーチャネルを決定するための手段と、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、ブロードキャストチャネルまたは情報ブロックのうちの少なくとも１つを含み、
少なくとも１つのユーザ機器（ＵＥ）に前記複数のアンカーチャネルを同時に送信するための手段と、
前記複数のアンカーチャネルに少なくとも部分的に基づいて、前記少なくとも１つのＵＥと通信するための手段と
を備える装置。
［Ｃ３１］
前記少なくとも１つの同期信号は、前記複数のアンカーチャネルの構成を示す、Ｃ３０に記載の装置。
［Ｃ３２］
前記少なくとも１つの同期信号は、前記少なくとも１つの同期信号のサイクリックシフトに少なくとも部分的に基づいて、前記複数のアンカーチャネルの前記構成を示す、Ｃ３１に記載の装置。
［Ｃ３３］
ユーザ機器（ＵＥ）によって実行されるワイヤレス通信の方法であって、
第１のアンカーチャネル上で少なくとも１つの同期信号を受信することと、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルまたは情報ブロックのうちの少なくとも１つを受信することと、
前記同期信号に少なくとも部分的に基づいて、同期動作を実行することと
を備える方法。
［Ｃ３４］
前記少なくとも１つの同期信号は、前記複数のアンカーチャネルの第１の送信において受信され、前記ブロードキャストチャネルまたは前記情報ブロックのうちの前記少なくとも１つは、前記複数のアンカーチャネルの第２の送信において、前記少なくとも１つの他のアンカーチャネル上で受信される、Ｃ３３に記載の方法。
［Ｃ３５］
前記ブロードキャストチャネルまたは前記情報ブロックのうちの前記少なくとも１つは、前記第１の送信における前記第１のアンカーチャネル上での前記ブロードキャストチャネルまたは前記情報ブロックのうちの前記少なくとも１つの受信が不成功であったことに少なくとも部分的に基づいて、前記第２の送信において受信される、Ｃ３４に記載の方法。
［Ｃ３６］
前記ブロードキャストチャネルまたは前記情報ブロックのうちの前記少なくとも１つを受信するために、前記少なくとも１つの他のアンカーチャネルにチューニングすること
をさらに備える、Ｃ３３に記載の方法。
［Ｃ３７］
前記複数のアンカーチャネルは、周期的にまたは繰り返し送信される、Ｃ３３に記載の方法。
［Ｃ３８］
前記情報ブロックは、自己復号可能マスタ情報ブロックを含む、Ｃ３３に記載の方法。
［Ｃ３９］
前記少なくとも１つの同期信号、前記ブロードキャストチャネル、または前記情報ブロックのうちの少なくとも１つは、発見基準信号である、Ｃ３３に記載の方法。
［Ｃ４０］
前記複数のアンカーチャネルは、発見基準信号チャネルを備える、Ｃ３３に記載の方法。
［Ｃ４１］
前記情報ブロックは、前記ＵＥのための周波数ホッピングホワイトリストを識別する、Ｃ３３に記載の方法。
［Ｃ４２］
前記少なくとも１つの同期信号に少なくとも部分的に基づいて、前記複数のアンカーチャネルの構成を決定すること
をさらに備える、Ｃ３３に記載の方法。
［Ｃ４３］
前記決定は、前記少なくとも１つの同期信号のサイクリックシフトに少なくとも部分的に基づく、Ｃ４２に記載の方法。
［Ｃ４４］
ワイヤレス通信のためのユーザ機器（ＵＥ）であって、
メモリと、
前記メモリに動作可能に結合された少なくとも１つのプロセッサと
を備え、前記メモリおよび前記少なくとも１つのプロセッサは、
第１のアンカーチャネル上で少なくとも１つの同期信号を受信することと、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルまたは情報ブロックのうちの少なくとも１つを受信することと、
前記少なくとも１つの同期信号に少なくとも部分的に基づいて、同期動作を実行することと
を行うためのものである、ＵＥ。
［Ｃ４５］
前記少なくとも１つの同期信号は、前記複数のアンカーチャネルの第１の送信において受信され、前記ブロードキャストチャネルまたは前記情報ブロックのうちの前記少なくとも１つは、前記複数のアンカーチャネルの第２の送信において、前記少なくとも１つの他のアンカーチャネル上で受信される、Ｃ４４に記載のＵＥ。
［Ｃ４６］
前記ブロードキャストチャネルまたは前記情報ブロックのうちの前記少なくとも１つは、前記第１の送信における前記第１のアンカーチャネル上での前記ブロードキャストチャネルまたは前記情報ブロックのうちの前記少なくとも１つの受信が不成功であったことに少なくとも部分的に基づいて、前記第２の送信において受信される、Ｃ４５に記載のＵＥ。
［Ｃ４７］
前記１つまたは複数のプロセッサはさらに、
前記ブロードキャストチャネルまたは前記情報ブロックのうちの前記少なくとも１つを受信するために、前記少なくとも１つの他のアンカーチャネルにチューニングすること
を行うためのものである、Ｃ４４に記載のＵＥ。
［Ｃ４８］
前記複数のアンカーチャネルは、周期的にまたは繰り返し送信される、Ｃ４４に記載のＵＥ。
［Ｃ４９］
前記情報ブロックは、自己復号可能マスタ情報ブロックを含む、Ｃ４４に記載のＵＥ。
［Ｃ５０］
前記少なくとも１つの同期信号、前記ブロードキャストチャネル、または前記情報ブロックのうちの少なくとも１つは、発見基準信号である、Ｃ４４に記載のＵＥ。
［Ｃ５１］
前記複数のアンカーチャネルは、発見基準信号チャネルを備える、Ｃ４４に記載のＵＥ。
［Ｃ５２］
前記情報ブロックは、前記ＵＥのための周波数ホッピングホワイトリストを識別する、Ｃ４４に記載のＵＥ。
［Ｃ５３］
前記１つまたは複数のプロセッサはさらに、
前記少なくとも１つの同期信号に少なくとも部分的に基づいて、前記複数のアンカーチャネルの構成を決定すること
を行うためのものである、Ｃ４４に記載のＵＥ。
［Ｃ５４］
前記決定は、前記少なくとも１つの同期信号のサイクリックシフトに少なくとも部分的に基づく、Ｃ５３に記載のＵＥ。
［Ｃ５５］
１つまたは複数の命令を記憶した非一時的なコンピュータ可読媒体であって、
前記１つまたは複数の命令は、基地局の１つまたは複数のプロセッサによって実行されると、前記１つまたは複数のプロセッサに、
第１のアンカーチャネル上で少なくとも１つの同期信号を受信することと、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルまたは情報ブロックのうちの少なくとも１つを受信することと、
前記少なくとも１つの同期信号に少なくとも部分的に基づいて、同期動作を実行することと
を行わせる、非一時的なコンピュータ可読媒体。
［Ｃ５６］
前記１つまたは複数の命令は、前記１つまたは複数のプロセッサによって実行されると、前記１つまたは複数のプロセッサに、
前記少なくとも１つの同期信号に少なくとも部分的に基づいて、前記複数のアンカーチャネルの構成を決定すること
を行わせる、Ｃ５５に記載の非一時的なコンピュータ可読媒体。
［Ｃ５７］
前記決定は、前記少なくとも１つの同期信号のサイクリックシフトに少なくとも部分的に基づく、Ｃ５６に記載の非一時的なコンピュータ可読媒体。
［Ｃ５８］
ワイヤレス通信のための装置であって、
第１のアンカーチャネル上で少なくとも１つの同期信号を受信するための手段と、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルおよび／または情報ブロックを受信するための手段と、
前記同期信号に少なくとも部分的に基づいて、同期動作を実行するために手段と
を備える装置。
［Ｃ５９］
前記少なくとも１つの同期信号に少なくとも部分的に基づいて、前記複数のアンカーチャネルの構成を決定するための手段
をさらに備える、Ｃ５８に記載の装置。
［Ｃ６０］
前記決定は、前記少なくとも１つの同期信号のサイクリックシフトに少なくとも部分的に基づく、Ｃ５９に記載の装置。